(57)【特許請求の範囲】
【請求項１】
加入者端末に接続された端末側電話交換機スプリッタと接続される外線側端子板と、前記外線側端子板及び電話交換機システムに接続される局内側端子板とを備え、前記外線側端子板及び前記局内側端子板に対して非対称デジタル加入者線システムを接続可能な非対称デジタル加入者線サービス通信系システムにおいて、前記局内側端子板は、断器機能を有して対構成の組で配設された複数の断器用コネクタと、データ信号と音声信号とを混合して分配可能な電話交換機スプリッタ回路を小型基板上に配備して成ると共に、前記複数の断器用コネクタに対して実装接続される電話交換機スプリッタカードとを備えて成る電話交換機スプリッタ内蔵型であることを特徴とする非対称デジタル加入者線サービス通信系システム。
【請求項２】
請求項１記載の非対称デジタル加入者線サービス通信系システムにおいて、前記複数の断器用コネクタにはそれぞれＵスリット端子が結合され、前記複数のＵスリット端子は、それぞれ前記外線側端子板，前記非対称デジタル加入者線システム，及び前記電話交換機システムとの間で接続されたものを含むことを特徴とする非対称デジタル加入者線サービス通信系システム。
【請求項３】
請求項２記載の非対称デジタル加入者線サービス通信系システムにおいて、前記外線側端子板は、前記端末側電話交換機スプリッタと電話回線により接続されると共に、前記複数のＵスリット端子のうちの特定のものとの間でジャンパ線により接続されたＵスリット端子を備えたことを特徴とする非対称デジタル加入者線サービス通信系システム。
【請求項４】
請求項２又は３記載の非対称デジタル加入者線サービス通信系システムにおいて、前記非対称デジタル加入者線システムは、前記複数のＵスリット端子のうちの特定のものとの間で非対称デジタル加入者線信号用ケーブルにより接続されたことを特徴とする非対称デジタル加入者線サービス通信系システム。
【請求項５】
請求項２〜４の何れか一つに記載の非対称デジタル加入者線サービス通信系システムにおいて、前記電話交換機システムは、前記複数のＵスリット端子のうちの特定のものとの間で電話交換機信号用ケーブルにより接続されたことを特徴とする非対称デジタル加入者線サービス通信系システム。
【請求項６】
請求項１〜５の何れか一つに記載の非対称デジタル加入者線サービス通信系システムにおいて、前記外線側端子板及び前記局内側端子板は、主配線盤上に配備されて成ることを特徴とする非対称デジタル加入者線サービス通信系システム。
【発明の詳細な説明】
【０００１】
【発明の属する技術分野】
本発明は、主として加入者端末に接続された端末側電話交換機スプリッタに接続される外線側端子板、この外線側端子板及び電話交換機システムに接続される局内側端子板に対して非対称デジタル加入者線システムを接続して成る非対称デジタル加入者線サービス通信系システムに関する。
【０００２】
【従来の技術】
従来、この種の非対称デジタル加入者線（以下、ＡＤＳＬとする）サービスを提供するためのＡＤＳＬサービス通信系システムとしては、例えば図４に示されるような回路構成のものが挙げられる。
【０００３】
このＡＤＳＬサービス通信系システムでは、ＡＤＳＬサービスを行うときに必要となるデータ信号と音声信号とを混合して分配可能にするためのローパスフィルタ（ＬＰＦ），ハイパスフィルタ（ＨＰＦ）を備えて成る電話交換機（以下、ＰＯＴＳとする）スプリッタカード３をスプリッタモジュール入力端子７１ａ，ＰＯＴＳ接続端子７１ａ′，及びＡＤＳＬ接続端子７１ａ″を備えるスプリッタモジュール７に実装した後、このスプリッタモジュール７に対して主配線盤（ＭＤＦ）４上に増設した入力側スプリッタモジュール中継端子板（ＳＰＭ−ＩＮ）８及び出力側スプリッタモジュール中継端子板（ＳＰＭ−ＯＵＴ）９を接続する際、入力側スプリッタモジュール中継端子板８のスプリッタ接続用のＵスリット端子８１ａ′及びスプリッタモジュール７のスプリッタモジュール入力端子７１ａの間と、出力側スプリッタモジュール中継端子板９のＵスリット端子９１ａ′及びスプリッタモジュール７のＰＯＴＳ接続端子７１ａ′の間とをそれぞれケーブルにより接続している。
【０００４】
又、このＡＤＳＬサービス通信系システムにおいて、入力側スプリッタモジュール中継端子板８のジャンパ接続用のＵスリット端子８１ａは、主配線盤（ＭＤＦ）４上に設けられた外線側端子板（ＯＳＰ）１のＵスリット端子１１ａとの間でジャンパ線１０により接続され、出力側スプリッタモジュール中継端子板９のＵスリット端子９１ａは、主配線盤（ＭＤＦ）４上に設けられた局内側端子板（ＩＳＰ）２′のジャンパ接続用のＵスリット端子２１ａとの間でケーブルにより接続され、スプリッタモジュール７のＡＤＳＬ接続端子７１ａ″は、ＡＤＳＬシステム５との間でＡＤＳＬ信号用ケーブル１５により接続されている。
【０００５】
更に、このＡＤＳＬサービス通信系システムにおいて、外線側端子板１のＵスリット端子１１ａは、外線側端子板１上で接地接続された保護サージ回路１２ａと加入者端末としてのパソコン端末（ＰＣ）１００及び電話端末（ＴＥＬ）１０１に接続された端末側ＰＯＴＳスプリッタ１０２とに電話回線１０３によりそれぞれ接続され、外線側端子板１上に別途に設けられたＵスリット端子１１ｂは、外線側端子板１上で接地接続された別の保護サージ回路１２ｂと電話機（ＴＥＬ）１０４とに別の電話回線１０３によりそれぞれ接続される他、局内側端子板２′のジャンパ接続用のＵスリット端子２１ｂとの間で別のジャンパ線１０により接続されている。
【０００６】
加えて、局内側端子板２′のＵスリット端子２１ｂと結合されたＵスリット端子２１ｂ′は、ＰＯＴＳシステム６との間でＰＯＴＳ信号用ケーブル１６ａにより接続され、同様にＵスリット端子２１ａと結合されたＵスリット端子２１ａ′は、ＰＯＴＳシステム６との間でＰＯＴＳ信号用ケーブル１６ｂにより接続されている。
【０００７】
このＡＤＳＬサービス通信系システムの場合、各部に使用されたＵスリット端子のうち、局内側端子板２′上に配備されたＵスリット端子２１ａ，２１ａ′及びＵスリット端子２１ｂ，２１ｂ′と、入力側スプリッタモジュール中継端子板８上に配備されたＵスリット端子８１ａ，８１ａ′と、出力側スプリッタモジュール中継端子板９上に配備されたＵスリット端子９１ａ，９１ａ′とがそれぞれ並設結合タイプのものとなっている。
【０００８】
【発明が解決しようとする課題】
上述したＡＤＳＬサービス通信系システムの場合、ＡＤＳＬサービスを提供するためのシステムを構築するとき、ＰＯＴＳスプリッタカードをＰＯＴＳ接続やＡＤＳＬ接続のための専用端子を備えたスプリッタモジュールに実装すると共に、別途に主配線盤上に入力側スプリッタモジュール中継端子板及び出力側スプリッタモジュール中継端子板を増設した上、入力側スプリッタモジュール中継端子板及びスプリッタモジュールの間の接続、出力側スプリッタモジュール中継端子板及び局内側端子板の間の接続、入力側スプリッタモジュール中継端子板及びスプリッタモジュールの間の接続が必要となるが、このような構成では各部の接続構成が複雑になってシステム全体が大規模化されるため、接続作業が煩雑で大変である上にシステムの構築を簡素に行うことができないという問題がある。
【０００９】
本発明は、このような問題点を解決すべくなされたもので、その技術的課題は、各部の接続が簡単でシステム全体を小規模で構築できるＡＤＳＬサービス通信系システムを提供することにある。
【００１０】
【課題を解決するための手段】
本発明によれば、加入者端末に接続された端末側ＰＯＴＳスプリッタと接続される外線側端子板と、外線側端子板及びＰＯＴＳシステムに接続される局内側端子板とを備え、外線側端子板及び局内側端子板に対してＡＤＳＬシステムを接続可能なＡＤＳＬサービス通信系システムにおいて、局内側端子板は、断器機能を有して対構成の組で配設された複数の断器用コネクタと、データ信号と音声信号とを混合して分配可能なＰＯＴＳスプリッタ回路を小型基板上に配備して成ると共に、複数の断器用コネクタに対して実装接続されるＰＯＴＳスプリッタカードとを備えて成るＰＯＴＳスプリッタ内蔵型であるＡＤＳＬサービス通信系システムが得られる。
【００１１】
又、本発明によれば、上記ＡＤＳＬサービス通信系システムにおいて、複数の断器用コネクタにはそれぞれＵスリット端子が結合され、複数のＵスリット端子は、それぞれ外線側端子板，ＡＤＳＬシステム，及びＰＯＴＳシステムとの間で接続されたものを含むＡＤＳＬサービス通信系システムが得られる。
【００１２】
更に、本発明によれば、上記ＡＤＳＬサービス通信系システムにおいて、外線側端子板は、前記端末側ＰＯＴＳスプリッタと電話回線により接続されると共に、複数のＵスリット端子のうちの特定のものとの間でジャンパ線により接続されたＵスリット端子を備えたＡＤＳＬサービス通信系システムが得られる。
【００１３】
加えて、本発明によれば、上記何れかのＡＤＳＬサービス通信系システムにおいて、ＡＤＳＬシステムは、複数のＵスリット端子のうちの特定のものとの間でＡＤＳＬ信号用ケーブルにより接続されたＡＤＳＬサービス通信系システムが得られる。
【００１４】
一方、本発明によれば、上記何れか一つのＡＤＳＬサービス通信系システムにおいて、ＰＯＴＳシステムは、複数のＵスリット端子のうちの特定のものとの間でＰＯＴＳ信号用ケーブルにより接続されたＡＤＳＬサービス通信系システムが得られる。
【００１５】
他方、本発明によれば、上記何れか一つのＡＤＳＬサービス通信系システムにおいて、外線側端子板及び局内側端子板は、主配線盤上に配備されて成るＡＤＳＬサービス通信系システムが得られる。
【００１６】
【発明の実施の形態】
以下に実施例を挙げ、本発明のＡＤＳＬサービス通信系システムについて、図面を参照して詳細に説明する。
【００１７】
図１は、本発明の一実施例に係るＡＤＳＬサービス通信系システムの基本構成を簡易に示した回路図である。このＡＤＳＬサービス通信系システムの場合、図４に示した従来構成のものと比べ、加入者端末であるパソコン端末（ＰＣ）１００及び電話機端末（ＴＥＬ）１０１，電話機（ＴＥＬ）１０４，ＡＤＳＬシステム５及びＰＯＴＳシステム６の間に配置される図示されない主配線盤（ＭＤＦ）上に配備される外線側端子板（ＯＳＰ）１と局内側端子板（ＩＳＰ）２との接続構成を変更すると共に、局内側端子板２をＰＯＴＳスプリッタ内蔵型とした点が相違している。
【００１８】
具体的に言えば、ここでの外線側端子板１は、従来通りに加入者端末としてのパソコン端末（ＰＣ）１００及び電話端末（ＴＥＬ）１０１に接続された端末側ＰＯＴＳスプリッタ１０２と電話機（ＴＥＬ）１０４とに対してそれぞれ電話回線１０３により接続されているが、局内側端子板２は、断器機能を有して対構成の組で配設された複数（ここでは１対２組で総計４個）の断器用コネクタ２２ａ，２２ａ′，２２ｂ，２２ｂ′と、データ信号と音声信号とを混合して分配可能にするためのローパスフィルタ（ＬＰＦ），ハイパスフィルタ（ＨＰＦ）を備えて成るＰＯＴＳスプリッタ回路を小型基板上に配備して成ると共に、ＰＯＴＳスプリッタカード接続端子３１ａ３１ａ′，３１ｂ，３１ｂ′を備えて各断器用コネクタ２２ａ，２２ａ′，２２ｂ，２２ｂ′に対して実装接続されるＰＯＴＳスプリッタカード３とを備えて成るＰＯＴＳスプリッタ内蔵型となっており、更に、各断器用コネクタ２２ａ，２２ａ′，２２ｂ，２２ｂ′にそれぞれ結合されたＵスリット端子２１ａ，２１ａ′，２１ｂ，２１ｂ′の特定のものがそれぞれ外線側端子板１，ＡＤＳＬシステム５，及びＰＯＴＳシステム６との間で接続される構成となっている。
【００１９】
即ち、局内側端子板２の断器用コネクタ２２ｂと結合されたＵスリット端子２１ｂは、外線側端子板１において電話回線１０３により端末側ＰＯＴＳスプリッタ１０２及び接地接続された保護サージ回路１２ａと接続されたＵスリット端子１１ａとの間でジャンパ線１０により接続され、局内側端子板２の断器用コネクタ２２ａ′と結合されたＵスリット端子２１ａ′は、ＡＤＳＬ信号用ケーブル１５によりＡＤＳＬシステム５と接続され、局内側端子板２の断器用コネクタ２２ｂ′と結合されたＵスリット端子２１ｂ′は、ＰＯＴＳ信号用ケーブル１６によりＰＯＴＳシステム６と接続されている。
【００２０】
尚、このＡＤＳＬサービス通信系システムでは、局内側端子板２の断器用コネクタ２２ｂと結合されたＵスリット端子２１ｂと外線側端子板１において別の電話回線１０３により電話機１０４及び接地接続された保護サージ回路１２ｂと接続されたＵスリット端子１１ｂとの間を接続しない構成としたが、これらの間を必要に応じてジャンパ線１０により接続することも可能である。即ち、上述した局内側端子板２上の各Ｕスリット端子２１ａ，２１ａ′，２１ｂ，２１ｂ′のうち、Ｕスリット端子２１ａ，２１ｂは、外線側端子板１との接続を行うためのものであり、Ｕスリット端子２１ａ′，２１ｂ′はＡＤＳＬシステム５，ＰＯＴＳシステム６との接続を行うために用いられている。
【００２１】
このような構成のＡＤＳＬサービス通信系システムの場合、加入者端末との接続に供される外線側端子板１との間で接続される局内側端子板２を変更し、局内側端子板２上に搭載した対構成の断器用コネクタ２２ａ，２２ａ′，２２ｂ，２２ｂ′に対してＰＯＴＳスプリッタ回路を小型基板上に配備して成るＰＯＴＳスプリッタカード３を実装接続した上、断器用コネクタ２１ｂと結合されたＵスリット端子２１ｂにはジャンパ線１０により外線側端子板１のＵスリット端子１１ａ、断器用コネクタ２２ａ′と結合されたＵスリット端子２１ａ′にはＡＤＳＬ信号用ケーブル１５によりＡＤＳＬシステム５、断器用コネクタ２２ｂ′と結合されたＵスリット端子２１ｂ′にはＰＯＴＳ信号用ケーブル１６によりＰＯＴＳシステム６をそれぞれ接続した構成であるため、従来システムでＡＤＳＬサービスの提供のために主配線盤上に増設する必要があった入力側スプリッタモジュール中継端子板（ＳＰＭ−ＩＮ）及び出力側スプリッタモジュール中継端子板（ＳＰＭ−ＯＵＴ）とその間のケーブル接続とを不要にすることができ、これによって各部の接続が簡単でシステム全体を小規模で構築できるようになっている。
【００２２】
図２は、局内側端子板２上に配備されるＰＯＴＳスプリッタカード３の基本構成を示した回路図である。ここでのＰＯＴＳスプリッタカード３に実装されるＰＯＴＳスプリッタ回路では、ＰＯＴＳスプリッタカード接続端子３１ｂがローパスフィルタ（ＬＰＦ）及びハイパスフィルタ（ＨＰＦ）の入力側の端子として接続され、ＰＯＴＳスプリッタカード接続端子３１ａ′が高周波ＡＤＳＬ信号を通過させるためのハイパスフィルタ（ＨＰＦ）出力側に接続され、ＰＯＴＳスプリッタカード接続端子３１ｂ′がＰＯＴＳ用音声信号を通過させるためのローパスフィルタ（ＬＰＦ）の出力側に接続された構成となっている。
【００２３】
図３は、このＰＯＴＳスプリッタカード３の局内側端子板２に対する実装状態を示した外観図であり、同図（ａ）は一方向からの側面図に関するもの，同図（ｂ）は他方向からの側面図に関するものである。ここでは、ＰＯＴＳスプリッタカード３は局内側端子板２上に対構成で設けられた断器用コネクタ２２ａ，２２ａ′，２２ｂ，２２ａ’間に縦置きで実装接続されて装着された様子を示している。
【００２４】
以下は、上述した一実施例に係るＡＤＳＬサービス通信系システムの基本動作を図１に示した回路図と、図２に示したＰＯＴＳスプリッタカード３の回路図とを参照して説明する。
【００２５】
このＡＤＳＬサービス通信系システムにおいて、例えば初期的に電話機端末（ＴＥＬ）１０１からの音声信号（ＰＯＴＳ用信号）とパソコン端末（ＰＣ）１００からのデータ信号（高周波ＡＤＳＬ信号）とが端末側ＰＯＴＳスプリッタ１０２に入力され、ここで合成された合成信号が電話回線１０３経由で主配線盤（ＭＤＦ）上の外線側端子板１に入力されるものとする。
【００２６】
この場合、外線側端子板１に入力された合成信号はＵスリット端子１１ａへ出力され、このＵスリット端子１１ａからジャンパ線１０経由で局内側端子板２のＵスリット端子２１ｂ端子に入力されると、引き続いて断器用コネクタ２２ｂ経由でＰＯＴＳスプリッタカード３に入力される。
【００２７】
ＰＯＴＳスプリッタカード３では、ＰＯＴＳスプリッタカード接続端子３１ｂ経由で入力された合成信号をハイパスフィルタ（ＨＰＦ）で高域濾波することでデータ信号としての高周波ＡＤＳＬ信号のみを取り出してＰＯＴＳスプリッタカード接続端子３１ａ′へ出力し、又同様にＰＯＴＳスプリッタカード接続端子３１ｂ経由で入力された合成信号をローパスフィルタ（ＬＰＦ）で低域濾波することで音声信号としてのＰＯＴＳ用信号のみを取り出してＰＯＴＳスプリッタカード接続端子３１ｂ′へ出力する。
【００２８】
そこで、ＰＯＴＳスプリッタカード３のＰＯＴＳスプリッタカード接続端子３１ａ′から出力された高周波ＡＤＳＬ信号（データ信号）は局内側端子板２の断器用コネクタ２２ａ′を経由してＵスリット端子２１ａ′からＡＤＳＬシステム５に入力され、同様にＰＯＴＳスプリッタカード３のＰＯＴＳスプリッタカード接続端子３１ｂ′から出力されたＰＯＴＳ用信号（音声信号）は局内側端子板２の断器用コネクタ２２ｂ′を経由してＵスリット端子２１ｂ′からＰＯＴＳシステム６に入力される。
【００２９】
このようにして、加入者端末である電話機端末（ＴＥＬ）１０１からの音声信号（ＰＯＴＳ用信号）とパソコン端末（ＰＣ）１００からのデータ信号（高周波ＡＤＳＬ信号）とが動作処理される。
【００３０】
ところで、ＡＤＳＬシステム５からのデータ信号（高周波ＡＤＳＬ信号）とＰＯＴＳシステム６からの音声信号（ＰＯＴＳ用信号）とは、ここで説明した信号経路と全く逆の経路でパソコン端末（ＰＣ）１００と電話機端末（ＴＥＬ）１０１とに伝送される。
【００３１】
【発明の効果】
以上に説明したように、本発明のＡＤＳＬサービス通信系システムによれば、加入者端末との接続に供される外線側端子板との間で接続される局内側端子板を変更し、局内側端子板上に搭載した対構成の断器用コネクタに対してＰＯＴＳスプリッタ回路を小型基板上に配備して成るＰＯＴＳスプリッタカードを実装接続した上、各断器用コネクタと結合されたＵスリット端子の特定のものにジャンパ線，ＡＤＳＬ信号用ケーブル，ＰＯＴＳ信号用ケーブルを用いて外線側端子板のＵスリット端子，ＡＤＳＬシステム，ＰＯＴＳシステムをそれぞれ接続する構成としているため、従来システムでＡＤＳＬサービスの提供のために主配線盤上に増設する必要があった入力側スプリッタモジュール中継端子板（ＳＰＭ−ＩＮ）及び出力側スプリッタモジュール中継端子板（ＳＰＭ−ＯＵＴ）とその間のケーブル接続とを不要にすることができ、これによって各部の接続が簡単でシステム全体を小規模で構築できるようになる。結果として、このＡＤＳＬサービス通信系システムでは、従来のようにＰＯＴＳサービスのみからＡＤＳＬサービスへの転換を行うために中継用端子板の増設等を行わなくても局内側端子板の切り分け断器部として働く断器用コネクタへＰＯＴＳスプリッタ回路を備えたＰＯＴＳスプリッタカードを実装接続して装着するだけで同等な機能を容易に得ることができるようになる。
【図面の簡単な説明】
【図１】本発明の一実施例に係るＡＤＳＬサービス通信系システムの基本構成を簡易に示した回路図である。
【図２】図１に示すＡＤＳＬサービス通信系システムに備えられる局内側端子板上に配備されるＰＯＴＳスプリッタカードの基本構成を示した回路図である。
【図３】図２で説明したＰＯＴＳスプリッタカードの局内側端子板に対する実装状態を示した外観図であり、（ａ）は一方向からの側面図に関するもの，（ｂ）は他方向からの側面図に関するものである。
【図４】従来のＡＤＳＬサービス通信系システムの基本構成を簡易に示した回路図である。
【符号の説明】
１  外線側端子板（ＯＳＰ）
２，２′  局内側端子板（ＩＳＰ）
３  ＰＯＴＳスプリッタカード
４  主配線盤（ＭＤＦ）
５  ＡＤＳＬシステム
６  ＰＯＴＳシステム
７  スプリッタモジュール
８  入力側スプリッタモジュール中継端子板（ＳＰＭ−ＩＮ）
９  出力側スプリッタモジュール中継端子板（ＳＰＭ−ＯＵＴ）
１０  ジャンパ線
１１ａ，１１ｂ，２１ａ，２１ｂ，２１ａ′，２１ｂ′，８１ａ，８１ａ′，９１ａ，９１ａ′  Ｕスリット端子
１２ａ，１２ｂ  サージ保護回路
１５  ＡＤＳＬ信号用ケーブル
１６，１６ａ，１６ｂ  ＰＯＴＳ信号用ケーブル
２２ａ，２２ａ′，２２ｂ，２２ｂ′  断器用コネクタ
３１ａ，３１ａ′，３１ｂ，３１ｂ′  ＰＯＴＳスプリッタカード接続端子
７１ａ  スプリッタモジュール入力端子
７１ａ′  ＰＯＴＳ接続端子
７１ａ″  ＡＤＳＬ接続端子
１００  パソコン端末（ＰＣ）
１０１  電話機端末（ＴＥＬ）
１０２  端末側ＰＯＴＳスプリッタ
１０３  電話回線
１０４  電話機（ＴＥＬ）
【図１】
0004632505.tif 000002
【図２】
0004632505.tif 000003
【図３】
0004632505.tif 000004
【図４】
0004632505.tif 000005